(57)【要約】【課題】  液体食品でも漏れ出すことなく調理できるフードプロセッサの密閉蓋を提供する。【解決手段】ポリプロピレンなどの軟質樹脂を素材として用いることにより密閉性が保たれ液体食品でも漏れ出すことなく調理ができる。スイッチ１は蓋本体２ につながるガイド３との接合部が可動式になっているため蓋をしたままでも連続稼動、断続稼動調理がスムーズに行える。ガイド３を設けることによりスイッチ 部の位置決めが容易となる。さらに蓋本体２の上部に小蓋５付投入口７を設置することによって調理中の食品追加が容易となる。ボトルからの蓋の取り外しは蓋 本体２の外周に鐔状手掛かり８を設けることにより、ボトルに設置時の蓋の位置を保持するとともに、ボトルからの蓋の取り外し時に手がかりとなって容易に取 り外すことができる。蓋本体嵌合部２４にリブ１０を設け密閉性を増している。【選択図】図１
2008149104.tif 000002
【特許請求の範囲】
【請求項１】
ポリプロピレンなどの軟質樹脂で構成された固体食品および液体食品も攪拌、調理できることを特徴とするフードプロセッサ用密閉蓋。
【請求項２】
突起１１付スイッチ１とガイド３との接続部に線状に薄くした単数の一体線状稼動部分４を設けた、容易にスイッチを入、切できる請求項１に記載のフードプ ロセッサ用密閉蓋。
【請求項３】
突起１１付スイッチ１とガイド３との接続部に線状に薄くした複数の一体線状稼動部分４を設けた、容易にスイッチを入、切できる請求項１に記載のフードプ ロセッサ用密閉蓋。
【請求項４】
突起１１付スイッチ１とガイド３との接続部にヒンジ１２を設けた、容易にスイッチを入、切できる請求項１に記載のフードプロセッサ用密閉蓋。
【請求項５】
突起１１付スイッチ１とガイド３との接続部に金属などとを組み合わせた金属組み合わせヒンジ２１を設けた、容易にスイッチを入、切できる請求項１に記載 のフードプロセッサ用密閉蓋。
【請求項６】
突起１１付スイッチ１とガイド３との接続部にはめ込みヒンジ１３を設けた、容易にスイッチを入、切できる請求項１に記載のフードプロセッサ用密閉蓋。
【請求項７】
突起１１付スイッチ１とガイド３との接続部に金属などとを組み合わせた金属組み合わせはめ込みヒンジ２０を設けた、容易にスイッチを入、切できる請求項 １に記載のフードプロセッサ用密閉蓋。
【請求項８】
突起１１付スイッチ１はガイド３との接続部に部材で全面連結材１４を設けることにより可動式であるので容易にスイッチを入、切できる請求項１に記載の フードプロセッサ用密閉蓋。
【請求項９】
突起１１付スイッチ１はガイド３との接続部に部材で一部連結材１５を設けることにより可動式であるので容易にスイッチを入、切できる請求項１に記載の フードプロセッサ用密閉蓋。
【請求項１０】
蓋本体２の外周に鐔状手掛かり８を設けることにより、ボトル口部への保持及びボトルからの取り外しが容易にできる請求項１から９のいずれかに記載のフー ドプロセッサ用密閉蓋。
【請求項１１】
突起１１付スイッチ１と本体との間に本体からつながるガイド３を設けてあるため、蓋をボトル口部に設置する時、スイッチ部分への位置決めを容易にし取り 付けることができる請求項１から１０のいずれかに記載のフードプロセッサ用密閉蓋。
【請求項１２】
蓋本体嵌合部２４にリブ１０を設けることにより液体の食品が溢れることを防ぐことができる請求項１から１１のいずれかに記載のフードプロ セッサ用密閉蓋。
【請求項１３】
蓋本体２の上部に上下可動式の接続部に子蓋一体線状稼動部分６を単数備えた密閉式の子蓋５と投入口７を設けることにより調理の途中でも容易に食材を 追加できる請求項１から１２のいずれかに記載のフードプロセッサ用密閉蓋。
【請求項１４】
蓋本体２の上部に上下可動式の接続部に子蓋一体線状稼動部分６を複数備えた密閉式の子蓋５と投入口７を設けることにより調理の途中でも容易に食材を 追加できる請求項１から１２のいずれかに記載のフードプロセッサ用密閉蓋。
【請求項１５】
蓋本体２の上部に上下可動式の接続部に子蓋ヒンジ１６を備えた密閉式の子蓋５と投入口７を設けることにより調理の途中でも容易に食材を追加できる請求項 １から１２のいずれかに記載のフードプロセッサ用密閉蓋。
【請求項１６】
蓋本体２の上部に上下可動式の接続部に子蓋金属組み合わせヒンジ２３を備えた密閉式の子蓋５と投入口７を設けることにより調理の途中でも容易に食材を追 加できる請求項１から１２のいずれかに記載のフードプロセッサ用密閉蓋。
【請求項１７】
蓋本体２の上部に上下可動式の接続部に子蓋はめ込みヒンジ１７を備えた密閉式の子蓋５と投入口７を設けることにより調理の途中でも容易に食材を追加でき る請求項１から１２のいずれかに記載のフードプロセッサ用密閉蓋。
【請求項１８】
蓋本体２の上部に上下可動式の接続部に子蓋金属組み合わせはめ込みヒンジ２２を備えた密閉式の子蓋５と投入口７を設けることにより調理の途中でも容易に 食材を追加できる請求項１から１２のいずれかに記載のフードプロセッサ用密閉蓋。
【請求項１９】
蓋本体２の上部に上下可動式の接続部に子蓋全面連結材１８を備えた密閉式の子蓋５と投入口７を設けることにより調理の途中でも容易に食材を追加できる請 求項１から１２のいずれかに記載のフードプロセッサ用密閉蓋。
【請求項２０】
蓋本体２の上部に上下可動式の接続部に子蓋一部連結材１９を備えた密閉式の子蓋５と投入口７を設けることにより調理の途中でも容易に食材を追加できる請 求項１から１２のいずれかに記載のフードプロセッサ用密閉蓋。
【発明の詳細な説明】
【技術分野】
【０００１】
本発明は、固体食品および液体の食品も攪拌することができるフードプロセッサの密閉蓋に関するものである。
【背景技術】
【０００２】
従来のフードプロセッサの蓋は、溢れ出してしまうため液体の食材を攪拌することに適していなかった。    
【特許文献１】特開平６−２６９３６５号広報
【特許文献２】特開２００２−３６０４５２号広報
【特許文献３】実願昭６３−１４５５３６号（実開平２−６７９３８号）のマイクロフィルム
【特許文献４】登録実用新案第３０６１５００号広報
【特許文献５】実願昭５９−４４４５号（実開昭６０−１１６９４８号）のマイクロフィルム
【発明の開示】
【発明が解決しようとする課題】
【０００３】
食品の中には液体のものもあり、従来のフードプロセッサの蓋では液体の食品を攪拌するとあふれ出してしまうため液体の食品を攪拌することに適していなかっ た。本発明の目的は、固体の食品および液体の食品でもあふれ出すことなく攪拌、調理できるフードプロセッサの密閉蓋を提供することにある。
【課題を解決するための手段】
【０００４】
本発明は、ポリプロピレンなどの軟質樹脂を素材とすることにより密閉性を有し従来のフードプロセッサの蓋にありがちな、溢れてしまうので液体の食品を攪 拌、調理することに適していないという問題点を解決している。
【発明の効果】
【０００５】
前述の様に本発明のフードプロセッサ用密閉蓋は、固体の食品だけでなく、液体の食品も攪拌、調理できるフードプロセッサー用密閉蓋として役立つ。
【発明を実施するための最良の形態】
【０００６】
フードプロセッサの密閉蓋はポリプロピレンなどの軟質樹脂を素材とし、密閉蓋のガイド３と突起１１付スイッチ１との接続部で上下に稼動出来るようにして、 密閉できなおかつ密閉したままスイッチを入、切することができる。密閉蓋本体の外周に鍔状の張り出し部８を設けることにより、密閉蓋をボトルから容易に取 り外すことができる。蓋本体嵌合部２４にリブ１０を設けることにより液体の食品が溢れることを防ぐことができる。密閉蓋本体の上部に上下に可動式に開閉で きる密閉子蓋５付の投入口７を設けることにより、調理の途中でも食材を追加することができる。
【実施例１】
【０００７】
図１図３図４図５図６図７図８図９図１０図１１図はポリプロピレンなどの軟質樹脂を素材とする固体および液体の食品も攪拌、調理ができるフードプロセッ サ用密閉蓋。
ボトル嵌合部９に密閉蓋を被せる時ガイド３によって位置決めが容易にできる。突起１１付スイッチ１とガイド３の接続部が上下に可動式であるので、ボトル嵌 合部９に蓋本体を密閉させたままスイッチを入、切することができる。子蓋５と密閉蓋の上面との接続部は上下に開閉式である。蓋本体２の外周に鐔状の手掛り を設けることにより、ボトル嵌合部９と蓋本体嵌合部２４に設けたリブ１０により密閉でき、液体食品も溢れてしまうことなく攪拌、調理ができるフードプロ セッサ用密閉蓋。
【産業上の利用可能性】
【０００８】
蓋本体２に設けたガイドによりボトル嵌合部９に被せる時の位置決めが容易であり、スイッチ１とガイド３との接続部が可動式であるため蓋本体２を密閉した ままスイッチを入、切することができるので、液体食品も溢れることなく攪拌、調理することができる。蓋本体２の外周に設けた鐔によりボトル嵌合部９から取 り外しやすい。蓋本体２に設けた子蓋５付き投入口７は調理の途中でも食材を追加できる。液体食品及び固体食品を攪拌、調理ができるフードプロセッサ用密閉 蓋としてフードプロセッサの利用範囲が拡がる。
【図面の簡単な説明】
【０００９】
【図１】フードプロセッサ用密閉蓋の斜視図である。
【図２】ボトルの斜視図である。
【図３】フードプロセッサ用密閉蓋の正面図である。
【図４】単数の一体線状稼動部分４と単数の子蓋一体線状稼動部分６を備えたフードプロセッサ用密閉蓋の上面図である。
【図５】複数の一体線状稼動部分４と複数の子蓋一体線状稼動部分６を備えたフードプロセッサ用密閉蓋の上面図である。
【図６】ヒンジ１２と子蓋ヒンジ１６を備えたフードプロセッサ用密閉蓋の上面図である。
【図７】はめ込みヒンジ１３と子蓋はめ込みヒンジ１７を備えたフードプロセッサ用密閉蓋の上面図である。
【図８】全面連結材１４と子蓋全面連結材１８を備えたフードプロセッサ用密閉蓋の上面図である。
【図９】一部連結材１５と子蓋一部連結材１９を備えたフードプロセッサ用密閉蓋の上面図である。
【図１０】金属組み合わせヒンジ２１と子蓋金属組み合わせヒンジ２３を備えたフードプロセッサ用密閉蓋の上面図である。
【図１１】金属組み合わせはめ込みヒンジ２０と子蓋金属組み合わせはめ込みヒンジ２２を備えたフードプロセッサ用密閉蓋の上面図である。
【符号の説明】
【００１０】
１  スイッチ。
２  蓋本体。
３  ガイド。
４  一体線状稼動部分。
５  子蓋。
６  子蓋一体線状稼動部分。
７  投入口。
８  鐔状手掛かり。
９  ボトル嵌合部。
１０  リブ。
１１  突起。
１２  ヒンジ。
１３  はめ込みヒンジ。
１４  全面連結材。
１５  一部連結材。
１６  子蓋ヒンジ。
１７  子蓋はめ込みヒンジ。
１８  子蓋全面連結材。
１９  子蓋一部連結材。
２０  金属組み合わせはめ込みヒンジ。
２１  金属組み合わせヒンジ。
２２  子蓋金属組み合わせはめ込みヒンジ。
２３  子蓋金属組み合わせヒンジ。
２４  蓋本体嵌合部。
【図１】
2008149104.tif 000003
【図２】
2008149104.tif 000004
【図３】
2008149104.tif 000005
【図４】
2008149104.tif 000006
【図５】
2008149104.tif 000007
【図６】
2008149104.tif 000008
【図７】
2008149104.tif 000009
【図８】
2008149104.tif 000010
【図９】
2008149104.tif 000011
【図１０】
2008149104.tif 000012
【図１１】
2008149104.tif 000013